(57)【要約】  画像を表示する表示部と、ユーザー操作を入力する操作入力部と、無線ＬＡＮによる無線通信を行う無線通信部と、を備え、スリープ状態から起動する際に、前記無線通信部において、所定のアクセスポイントと相互通信が可能な場合、前記表示部にリモコン制御ボタンを表示し、前記リモコン制御ボタンが選択された場合、選択されたリモコン制御ボタンに対応するリモコン制御信号を送信する、携帯端末装置である。
2016009499.tif 000002
【特許請求の範囲】
【請求項１】
携帯端末装置であって、
画像を表示する表示部と、
無線通信を行う無線通信部と、
制御部と、
を備え、
前記制御部は、スリープ状態から起動する際に、前記携帯端末装置により前記無線通信部を介して外部装置をリモコン制御可能か否か判定し、リモコン制御可能と判定された場合には、前記スリープ状態からの起動に応じてリモコン制御ボタンを前記表示部に表示するように制御する、携帯端末装置。
【請求項２】
請求項１に記載の携帯端末装置において、
所定の操作によりロック解除しなければ操作の一部を制限するロック機能を備え、
前記制御部は、前記ロック機能により操作の一部が制限されている状態で、前記リモコン制御可能と判定された場合には、前記ロック解除がされなくとも、前記スリープ状態からの起動に応じてリモコン制御ボタンを前記表示部に表示するように制御する、携帯端末装置。
【請求項３】
請求項１又は２に記載の携帯端末装置において、
前記制御部は、前記表示部に表示されたリモコン制御ボタンが選択された場合、前記無線通信部を介して前記選択されたリモコン制御ボタンに対応するリモコン制御信号を送信するように制御する、携帯端末装置。
【請求項４】
請求項１乃至３のいずれか１項に記載の携帯端末装置において、
前記制御部は、前記リモコン制御ボタンと共にロック解除するためのボタンを表示する、携帯端末装置。
【請求項５】
請求項１乃至４のいずれか１項に記載の携帯端末装置において、
前記制御部は、前記リモコン制御可能か否かを判定する際、
前記無線通信部において所定のアクセスポイントと相互通信が可能か否かを判定基準の１つとする、携帯端末装置。
【請求項６】
請求項１乃至５のいずれか１項に記載の携帯端末装置において、
さらに、位置を取得するＧＰＳ受信部を備え、
前記制御部は、前記リモコン制御可能か否かを判定する際、
前記ＧＰＳ受信部にて取得された前記携帯端末装置の位置が所定の位置近傍であるか否かを判定基準の１つとする、携帯端末装置。
【請求項７】
請求項１乃至６のいずれか１項に記載の携帯端末装置において、
前記制御部は、前記リモコン制御可能か否かを判定する際、
リモコン制御するための画面が表示された状態でスリープ状態になったか否かを判定基準の１つとする、携帯端末装置。
【請求項８】
請求項１乃至７のいずれか１項に記載の携帯端末装置において、
前記制御部は、前記リモコン制御可能か否かを判定する際、
前記携帯端末装置がユーザーエリアに存在するかどうかを判定基準の１つとする、携帯端末装置。
【請求項９】
携帯端末装置であって、
画像を表示する表示部と、
ユーザー操作を入力する操作入力部と、
無線ＬＡＮによる無線通信を行う無線通信部と、
を備え、
スリープ状態から起動する際に、前記無線通信部において、所定のアクセスポイントと相互通信が可能な場合、前記表示部にリモコン制御ボタンを表示し、
前記リモコン制御ボタンが選択された場合、選択されたリモコン制御ボタンに対応するリモコン制御信号を送信する、携帯端末装置。
【請求項１０】
請求項９に記載の携帯端末装置において、
スリープ状態から起動する際に、前記無線通信部において、所定のアクセスポイントと相互通信が可能な場合、前記表示部にリモコン制御ボタンとロック解除ボタンを表示し、
前記ロック解除ボタンが選択された場合、ロック解除動作を行う、携帯端末装置。
【請求項１１】
請求項９又は１０に記載の携帯端末装置において、
スリープ状態から起動する際に、前記無線通信部において、所定のアクセスポイントと相互通信ができなかった場合、リモコン制御ボタンを表示しないロック画面を表示する、携帯端末装置。
【請求項１２】
携帯端末装置であって、
画像を表示する表示部と、
ユーザー操作を入力する操作入力部と、
無線ＬＡＮによる無線通信を行う無線通信部と、
を備え、
リモコン制御画面が表示された状態でスリープ状態になった場合から、
スリープ状態から起動する際に、前記無線通信部において、所定のアクセスポイントと相互通信が可能な場合、前記表示部にリモコン制御ボタンを表示し、
前記リモコン制御ボタンが選択された場合、選択されたリモコン制御ボタンに対応するリモコン制御信号を送信する、携帯端末装置。
【請求項１３】
請求項１２に記載の携帯端末装置において、
リモコン制御画面が表示された状態でスリープ状態になった場合から、
スリープ状態から起動する際に、前記無線通信部において、所定のアクセスポイントと相互通信が可能な場合、前記表示部にリモコン制御ボタンとロック解除ボタンを表示し、
前記ロック解除ボタンが選択された場合、ロック解除動作を行う、携帯端末装置。
【請求項１４】
請求項１２又は１３に記載の携帯端末装置において、
スリープ状態から起動する際に、前記無線通信部において、所定のアクセスポイントと相互通信ができなかった場合、リモコン制御ボタンを表示しないロック画面を表示する、携帯端末装置。
【請求項１５】
携帯端末装置であって、
画像を表示する表示部と、
ユーザー操作を入力する操作入力部と、
位置を取得するＧＰＳ受信部と、
無線ＬＡＮによる無線通信を行う無線通信部と、
を備え、
スリープ状態から起動する際に、ＧＰＳ受信部にて位置を取得し、所定位置近傍に存在する場合、前記表示部にリモコン制御ボタンを表示し、
前記リモコン制御ボタンが選択された場合、選択されたリモコン制御ボタンに対応するリモコン制御信号を送信する、携帯端末装置。
【請求項１６】
請求項１５に記載の携帯端末装置において、
スリープ状態から起動する際に、ＧＰＳ受信部にて位置を取得し、所定位置近傍に存在する場合、前記表示部にリモコン制御ボタンとロック解除ボタンを表示し、
前記ロック解除ボタンが選択された場合、ロック解除動作を行う、携帯端末装置。
【請求項１７】
請求項１５又は１６記載の携帯端末装置において、
スリープ状態から起動する際に、ＧＰＳ受信部にて位置を取得し、所定位置近傍に存在しない場合、リモコン制御ボタンを表示しないロック画面を表示する、携帯端末装置。
【請求項１８】
携帯端末装置であって、
画像を表示する表示部と、
ユーザー操作を入力する操作入力部と、
無線通信を行う無線通信部と、
を備え、
携帯端末装置がユーザーエリアに存在するかどうかを判定する判定手段を有し、
スリープ状態から起動する際に、前記判定手段が、ユーザーエリアに存在すると判定した場合、前記表示部にリモコン制御ボタンを表示し、
前記リモコン制御ボタンが選択された場合、選択されたリモコン制御ボタンに対応するリモコン制御信号を送信する、携帯端末装置。
【請求項１９】
請求項１８に記載の携帯端末装置において、
前記無線通信部は、無線ＬＡＮによる無線通信を行うものであって、
前記判定手段は、
前記無線通信部が所定のアクセスポイントと相互通信が可能な場合を、携帯端末装置がユーザーエリアに存在することとする、携帯端末装置。
【請求項２０】
請求項１８に記載の携帯端末装置において、
前記判定手段は、
ＧＰＳ受信部にて位置を取得し、所定位置近傍に存在する場合を、携帯端末装置がユーザーエリアに存在することとする、携帯端末装置。
【発明の詳細な説明】
【技術分野】
【０００１】
本発明は、携帯端末装置に関する。
【背景技術】
【０００２】
近年、スマートフォンなどのように、タッチパネルを搭載した携帯端末装置が普及してきた。これらの携帯端末装置は、意図しない入力操作を防止するため、ロック機能が備えられている。さらには、第三者よる不正な操作を防止するため、上記ロック機能を解除する際に、パスワード認証やパターン認証などが用いている（特許文献１、特許文献２）。【０００３】
また、近年では携帯端末装置に搭載された無線ＬＡＮ機能を用いて、テレビジョン装置やレコーダ装置などの電子機器をＬＡＮ経由でリモコン制御することもできる（特許文献３）。
【先行技術文献】
【特許文献】
【０００４】
【特許文献１】特開２０１１−４８６６５号公報
【特許文献２】特開２０１３−２５３５７号公報
【特許文献３】特開２００６−２０３８３１号公報
【発明の概要】
【発明が解決しようとする課題】
【０００５】
例えば、携帯端末装置によりテレビジョン装置をリモコン操作する場合とは、視聴開始時の選局操作、視聴途中の音量調整、番組終了時に次視聴番組への選局操作などである。例えば視聴番組の選択時の操作は、「番組表表示」「視聴希望番組の選択」「視聴開始（選局）」などのように、複数のリモコン操作を連続して行う。また、視聴中の音量調整や、視聴番組が終了し次視聴番組を選択する時のリモコン操作など、前回のリモコン操作から数分、あるいはそれ以上経過した後にリモコン操作を行うことも多々ある。【０００６】
携帯端末装置は、バッテリーの消費を抑えるため、無操作状態が所定時間（例えば３０秒など）経過すると、スリープ状態となるように設定されていることが多い。前回のリモコン操作に対して上記所定時間が経過後している場合は、携帯端末装置がスリープ状態となっているため、リモコン操作を行う前に、携帯端末装置を起動させる必要がある。【０００７】
上記したように、第三者による不正な操作を防止するため、起動時はロック機能が働いた状態であり、パスワード認証やパターン認証を行い、ロック機能を解除する必要がある。すなわち、スリープ状態の場合は、リモコン操作を行う前に、パスワード認証やパターン認証などのロック機能の解除操作が必要であり、リモコンとしての操作性の観点では使い勝手が悪い。ロック機能を解除する際に認証を行わないモードに設定することで、ある程度はこの使い勝手は良くなるが、この場合は第三者による不正な操作を防止することが出来なくなるため、セキュリティ上問題がある。【０００８】
本発明は、上記課題に着目し、セキュリティ性能は確保したままで、リモコンとしての使い勝手がよい携帯端末装置を提供するものである。
【課題を解決するための手段】
【０００９】
上記課題を解決するために、本願において開示される発明のうち代表的なものの概要を簡単に説明すれば次の通りである。
（１）携帯端末装置であって、画像を表示する表示部と、無線通信を行う無線通信部と、制御部と、を備え、前記制御部は、スリープ状態から起動する際に、前記携帯端末装置により前記無線通信部を介して外部装置をリモコン制御可能か否か判定し、リモコン制御可能と判定された場合には、前記スリープ状態からの起動に応じてリモコン制御ボタンを前記表示部に表示するように制御することを特徴とする携帯端末装置である。
（２）携帯端末装置であって、画像を表示する表示部と、ユーザー操作を入力する操作入力部と、無線ＬＡＮによる無線通信を行う無線通信部と、を備え、スリープ状態から起動する際に、前記無線通信部において、所定のアクセスポイントと相互通信が可能な場合、前記表示部にリモコン制御ボタンを表示し、前記リモコン制御ボタンが選択された場合、選択されたリモコン制御ボタンに対応するリモコン制御信号を送信することを特徴とする携帯端末装置である。
（３）携帯端末装置であって、画像を表示する表示部と、ユーザー操作を入力する操作入力部と、無線ＬＡＮによる無線通信を行う無線通信部と、を備え、リモコン制御画面が表示された状態でスリープ状態になった場合から、スリープ状態から起動する際に、前記無線通信部において、所定のアクセスポイントと相互通信が可能な場合、前記表示部にリモコン制御ボタンを表示し、前記リモコン制御ボタンが選択された場合、選択されたリモコン制御ボタンに対応するリモコン制御信号を送信することを特徴とする携帯端末装置である。
（４）携帯端末装置であって、画像を表示する表示部と、ユーザー操作を入力する操作入力部と、位置を取得するＧＰＳ受信部と、無線ＬＡＮによる無線通信を行う無線通信部と、を備え、スリープ状態から起動する際に、ＧＰＳ受信部にて位置を取得し、所定位置近傍に存在する場合、前記表示部にリモコン制御ボタンを表示し、前記リモコン制御ボタンが選択された場合、選択されたリモコン制御ボタンに対応するリモコン制御信号を送信することを特徴とする携帯端末装置である。
（５）携帯端末装置であって、画像を表示する表示部と、ユーザー操作を入力する操作入力部と、無線通信を行う無線通信部と、を備え、携帯端末装置がユーザーエリアに存在するかどうかを判定する判定手段を有し、スリープ状態から起動する際に、前記判定手段が、ユーザーエリアに存在すると判定した場合、前記表示部にリモコン制御ボタンを表示し、前記リモコン制御ボタンが選択された場合、選択されたリモコン制御ボタンに対応するリモコン制御信号を送信することを特徴とする携帯端末装置である。
【発明の効果】
【００１０】
本発明によれば、セキュリティ性能は確保したままで、リモコンとしての使い勝手がよい携帯端末装置を提供することができる。上記した以外の課題、構成及び効果は、以下の実施形態の説明により明らかにされる。
【図面の簡単な説明】
【００１１】
【図１】実施例１における携帯端末装置の内部構成例を示すブロック図である。
【図２】電子機器をリモコン操作する際のシステム全体の構成例を示した図である。
【図３】携帯端末装置において、電子機器（ＴＶ）をリモコン制御する際の表示例を示す。
【図４】携帯端末装置におけるスリープ状態から起動するまでの操作の説明図である。
【図５】携帯端末装置の動作を示すフローチャートである。
【図６】携帯端末装置のロック画面の例を示す図である。
【図７】スリープ解除時の状態とロック画面との対応をまとめた図である。
【図８】実施例２における携帯端末装置の動作を示すフローチャートである。
【図９】スリープ状態になる直前の状態、スリープ解除時のＡＰとの通信状態とロック画面との対応をまとめた図である。
【図１０】実施例３における携帯端末装置の動作を示すフローチャートである。
【発明を実施するための形態】
【００１２】
以下、各実施例について図面を用いて説明する。
【実施例１】
【００１３】
図１は、実施例１における携帯端末装置１００の内部構成例を示すブロック図である。【００１４】
ここでは、スマートフォンの場合を例にして説明する。携帯端末装置１００は、基地局通信部１０１、ＣＰＵ１０２、メモリ１０３、ストレージ１０４、ＧＰＳ（Global Positioning System）受信部１０５、地磁気センサ１０６、加速度センサ１０７、ジャイロセンサ１０８、入出力Ｉ／Ｆ１０９、無線通信部１１０、マイク１１１、音声処理部１１２、スピーカ１１３、操作入力部１１４、表示部１１５、タッチパネル１１６、画像処理部１１７、映像入力部１１８、操作ボタン１１９を適宜用いて構成され、それぞれはバス１５０に相互に接続されている。なお、各機能部は適宜一体で構成されていても、別体で構成されていても構わない。【００１５】
基地局通信部１０１は、Ｗ−ＣＤＭＡ（Wideband Code Division Multiple Access）やＧＳＭ（Global System for Mobile communications（登録商標））などの基地局（図示せず）と遠距離の無線通信を行う通信インターフェイスである。【００１６】
ＣＰＵ１０２は、メモリ１０３に記憶したプログラムを実行することによって、各構成部を制御し、各種の処理を行っている。【００１７】
メモリ１０３は、例えばフラッシュメモリなどであり、プログラム、データなどを記憶している。メモリ１０３に記憶されるプログラムは、基地局通信部１０１が基地局５００と無線通信を行い、図示しない外部サーバーなどからダウンロードすることにより、随時更新・追加することが可能である。また、携帯端末装置１００は例えばメモリーカードなどのストレージ１０４を適宜備えており、ストレージ１０４にもデータなどを保存することができる。【００１８】
ＧＰＳ受信部１０５は、上空にあるＧＰＳ衛星からの信号を受信するものである。これにより、携帯端末装置１００の現在位置を検出することができる。【００１９】
地磁気センサ１０６は携帯端末装置１００の向いている方向を検出するセンサである。加速度センサ１０７は携帯端末装置１００の加速度を検出するセンサであり、ジャイロセンサ１０８は、携帯端末装置１００の角速度を検出するセンサである。これらにより、携帯端末装置１００の傾き、動きを詳細に検出することができる。【００２０】
入出力Ｉ／Ｆ１０９は、例えばＵＳＢ（Universal Serial Bus）などであり、外部機器（図示せず）とデータの送受信を行うインターフェイスである。無線通信部１１０は、近距離の無線(wireless)通信を行う通信インターフェイスであり、通信方式としては、例えばIEEE802.11a/b/nなどの無線ＬＡＮや、Bluetooth（登録商標）通信、赤外線通信などである。【００２１】
マイク１１１は、外部の音声を入力するものであり、スピーカ１１３は、外部に対して音声を出力するものである。入出力される音声は、音声処理部１１２にて音声処理される。タッチパネル１１６は、操作入力部１１４、表示部１１５を適宜用いて構成される。表示部１１５は液晶パネルなどであり、映像や画像を表示するものであり、その表示面にはタッチパッドのような操作入力部１１４を有する。【００２２】
操作入力部１１４は、例えば静電容量式などのタッチパッドであり、指やタッチペンなどによる接触操作（以降、タッチという）を操作入力として検出するものである。例えば、表示部１１５にコマンド（機能）のメニュー等を表示し、ユーザーが所望のコマンドをタッチして選択することで、そのタッチ位置を検出し、そのタッチ位置に表示されているコマンドを受け付けるものである。操作入力部１１４にて受け付けたタッチあるいはタッチ動作はＣＰＵ１０２に入力され処理される。なお、操作入力部１１４は、接触操作のみならず接近操作も検知するものであっても構わない。【００２３】
映像入力部１１８は、例えばカメラなどである。表示部１１５に表示される映像や、映像入力部１１８から入力された映像は、画像処理部１１７にて処理される。映像入力部１１８は、例えば携帯端末装置１００の第一面及びその裏面である第二面にそれぞれ設けた構成でもよく、複数あっても構わない。【００２４】
操作ボタン１１９は、例えばプッシュボタンスイッチなどであり、操作ボタン１１９が押されたことを検出すると、ＣＰＵ１０２に入力され、その操作ボタン１１９に対応した動作を実行する。なお、操作ボタン１１９は複数あってもよく、複数の操作ボタン１１９による同時操作や操作入力部１１４及び操作ボタン１１９による同時操作をもって一の操作指令として受け付けるようにしても構わない。【００２５】
図２は、携帯端末装置１００にて電子機器をリモコン操作する際のシステム全体の構成例を示した図である。ここでは、無線通信部１１０の通信方式が無線ＬＡＮの場合を例として示している。【００２６】
電子機器２００としては、テレビジョン受信装置（以下、ＴＶという）や、ＨＤＤ（Hard disk drive）やＢＤ（Blu-ray（登録商標）Disc）、ＤＶＤ（Digital Versatile Disc）などを記録媒体（以下、ストレージという）とした記録再生装置（以下、レコーダという）や、ストレージの再生装置（以下、プレーヤという）などがある。さらに、これらの装置はネットワークに接続可能な車載用のＴＶ等であっても構わない。以下、電子機器２００がＴＶの場合を例にとって説明する。【００２７】
電子機器２００は、IEEE802.3イーサネット（登録商標）などで構築されたＬＡＮ（Local Area Network)であるホームネットワーク３００に接続されている。携帯端末装置１００は、アクセスポイント（以下、ＡＰという）２０１と無線ＬＡＮにより接続される。ＡＰ２０１は、ホームネットワーク３００に接続されており、携帯端末装置１００は、ＡＰ２０１を介してホームネットワーク３００に接続される。【００２８】
上記したように、携帯端末装置１００、電子機器２００は、同一のホームネットワーク３００に接続されているため、携帯端末装置１００と電子機器２００とは、ホームネットワーク３００を介して相互通信を行うことが可能となる。そこで、携帯端末装置１００は、ホームネットワーク３００を介してリモコン制御信号を電子機器２００に送信することにより、電子機器２００をリモコン制御することができる。【００２９】
点線で囲まれた領域４００は、ユーザーエリアを示している。ユーザーエリアとは、家や事務所などの、ユーザーが使用する所定の領域である。図に示すように、ルーター３０１は、インターネットなどの外部ネットワーク３１０と接続されており、ユーザーエリア４００に配置された携帯端末装置１００、電子機器２００などは、ルーター３０１を介して外部ネットワーク３１０と相互通信を行うことができる。【００３０】
携帯端末装置１００は、上記したようにＡＰ２０１と無線ＬＡＮにより接続される。すなわち、携帯端末装置１００がＡＰ２０１と通信が可能な場合は、携帯端末装置１００はユーザーエリア４００に存在していると考えられ、通信ができない場合は、例えば外出先など、携帯端末装置１００はユーザーエリア４００以外に存在すると考えられる。【００３１】
また、携帯端末装置１００は、基地局５００と無線通信を行うこともできる。携帯端末装置１００は、基地局５００を介して、外部ネットワーク３１０と相互通信を行うこともできる。上記したように、ホームネットワーク３００もルーター３０１を介して外部ネットワーク３１０に接続されていることから、携帯端末装置１００は、基地局５００、外部ネットワーク３１０、ルーター３０１、ホームネットワーク３００を介しても電子機器２００と通信可能となる。【００３２】
上記したように、携帯端末装置１００は、ホームネットワーク３００を経由して、電子機器２００をリモコン制御することができる。図３は、携帯端末装置１００により電子機器２００（ＴＶ）をリモコン制御する際の携帯端末装置１００の表示例を示す。【００３３】
図３に示すように、表示部１１５に、放送波選択ボタン１６１、カーソルボタン１６２、決定ボタン１６３、番組表表示ボタン１６４、音量調整ボタン１６５、チャンネル選択ボタン１６６などのリモコン制御ボタン１６０を適宜表示する。ここで、表示部１１５に表示される各種ボタンは、図３に例示したものに限られず、絵や記号で表現されたアイコンを用いたものであっても構わない。【００３４】
ユーザーは、所望のリモコン制御ボタン１６０をタッチ操作する。タッチパネル１１６は、タッチパネル１１６におけるタッチされた位置を検出し、検出された情報はＣＰＵ１０２に送られる。ＣＰＵ１０２はその情報に基づきタッチされた位置に表示されているリモコン制御ボタン１６０に対応した制御コマンドを生成する。このとき、各種リモコン制御ボタンと制御コマンドの対応テーブルデータは、メモリ１０３に格納されている。ＣＰＵ１０２は、生成した制御コマンドを、無線通信部１１０より電子機器２００に対して送信する。このようにして、携帯端末装置１００は、電子機器２００をリモコン制御することができる。【００３５】
例えば視聴番組の選択時の操作は、番組表表示ボタン１６４をタッチ選択し、電子機器２００（ＴＶ）の画面上に番組表を表示させ、カーソルボタン１６２にて、視聴希望番組の選択し、決定ボタン１６３をタッチ選択することで、その選択された番組（チャンネル）に切り替わり、視聴することができる。【００３６】
このように、複数のリモコン操作を連続して行うこともあるが、視聴中の音量調整や、視聴番組が終了し次視聴番組を選択する時のリモコン操作などは、前回のリモコン操作から数分、あるいはそれ以上経過した後にリモコン操作を行うも多々ある。ここで、一般に、携帯端末装置は、バッテリーの消費を抑えるため、無操作状態が所定時間（例えば３０秒など）経過すると、スリープ状態となるように設定されている。前回のリモコン操作に対して上記所定時間が経過後している場合は、携帯端末装置がスリープ状態となっているため、リモコン操作を行う前に、携帯端末装置を起動させる必要がある。【００３７】
図４は、従来の携帯端末装置１００’におけるスリープ状態から起動するまでの操作の説明図である。スリープ状態において、操作ボタン１１９’を押すと、例えば図４（ａ）に示すように、ロック解除ボタン１７０’が表示部１１５’に表示された画面となる。この状態をロック画面という。ユーザーは、例えば図４（ｂ）に示すように、指でロック解除ボタン１７０’をタッチし横にスライドさせると、例えば図４（ｃ）のような暗証番号の入力画面となる。【００３８】
ここで、ユーザーは暗証番号を入力し、予め設定した暗証番号と一致するとロックが解除されホーム画面（図４（ｄ））となり、使用可能となる。ホーム画面上のリモコンアイコン１８０’をタッチ選択すると、図３に示すようなリモコン制御用の画面となり、電子機器２００のリモコン制御が可能となる。すなわち、上記したように前回の操作から所定時間以上経過すると、携帯端末装置１００’はスリープ状態となるため、再度電子機器２００をリモコン制御しようとすると、上記のロック解除の操作が必要となり、使い勝手が悪いという課題があった。【００３９】
そこで、本実施例に係る携帯端末装置１００においては、以下に説明する動作を行うこととする。【００４０】
図５は、本実施例に係る携帯端末装置１００の動作の一例を示すフローチャートである。【００４１】
図５に示すフローチャートの動作は、携帯端末装置１００がスリープ状態において、例えば操作ボタン１１９などを押してスリープを解除したときに開始する。【００４２】
動作を開始すると、無線ＬＡＮの起動状態を確認する（Ｓ５０１）。携帯端末装置１００においては、無線ＬＡＮ機能のＯＮ／ＯＦＦを設定できるようになっているため、ここで、無線ＬＡＮ機能がＯＮになっているかを確認する。無線ＬＡＮ機能がＯＦＦの場合（Ｓ５０１−Ｎｏ）は、携帯端末装置１００は、通常ロック画面で起動するステップＳ５１０、ロック解除が選択されたかを確認するステップＳ５１１に移行する。【００４３】
図６は、本実施例に係る携帯端末装置１００のロック画面の例を示す図である。上記ステップ５１０にて表示される通常ロック画面の例を図６（ａ）に示す。図に示すように、タッチパネル１１６にロック解除ボタン１７０のみが表示された状態である。この状態で、指でロック解除ボタン１７０をタッチし横にスライドさせると、ロック解除が選択され（Ｓ５１１−Ｙｅｓ）、ロック機能が解除され、認証画面を表示するステップＳ５０７に移行する。認証画面の詳細は後述する。【００４４】
ロック解除が選択されたかを確認するステップＳ５１１にて、ロック解除が選択されなかった場合（Ｓ５１１−Ｎｏ）は、無線ＬＡＮの起動状態を確認するステップＳ５０１に戻る。【００４５】
無線ＬＡＮの起動状態を確認するステップＳ５０１にて、無線ＬＡＮ機能がＯＮの場合（Ｓ５０１−Ｙｅｓ）は、ＡＰ２０１と通信可能かを確認する（Ｓ５０２）。ＡＰ２０１との無線ＬＡＮによる通信は、第３者による不正な通信を防止するため、認証・暗号化して通信を行っている。暗号化の方式は、ＷＥＰ（Wired Equivalent Privacy）、ＷＰＡ（WiFi Protected Access）、ＷＰＡ２などである。【００４６】
上記ＡＰ２０１と通信可能かを確認するステップＳ５０２において、ＡＰ２０１と通信が出来ない場合（Ｓ５０２−Ｎｏ）は、上記無線ＬＡＮ機能がＯＦＦの場合（Ｓ５０１−Ｎｏ）と同様に、通常ロック画面で起動するステップＳ５１０、ロック解除が選択されたかを確認するステップＳ５１１に移行する。【００４７】
上記ＡＰ２０１と通信可能かを確認するステップＳ５０２において、ＡＰ２０１と通信が可能な場合（Ｓ５０２−Ｙｅｓ）は、リモコン制御可能な状況と判定され、リモコン表示ロック画面を起動するステップＳ５０３、続いてリモコン制御ボタン１６０が選択されたかを確認するステップＳ５０４に移行する。上記したリモコン表示ロック画面の例を図６（ｂ）に示す。図６（ｂ）に示すように、タッチパネル１１６にロック解除ボタン１７０、及びリモコン制御ボタン１６０が表示されたものである。【００４８】
リモコン制御ボタン１６０が選択されたかを確認するステップＳ５０４において、ユーザーが所望のリモコン制御ボタン１６０をタッチ選択した場合（Ｓ５０４−Ｙｅｓ）は、ユーザーがタッチしたリモコン制御ボタン１６０に対応したリモコン制御信号を電子機器２００に送信し（Ｓ５０５）、ロック解除が選択されたかを確認するステップＳ５１１に移行する。【００４９】
リモコン制御ボタン１６０が選択されたかを確認するステップＳ５０４において、リモコン制御ボタンが選択されなかった場合（Ｓ５０４−Ｎｏ）は、ロック解除が選択されたかを確認するステップＳ５０６に移行する。【００５０】
ロック解除が選択されたかを確認するステップＳ５０６にて、例えば図６（ｃ）に示すように、指でロック解除ボタン１７０をタッチし横にスライドさせる操作によって、ロック解除が選択された場合（Ｓ５０６−Ｙｅｓ）は、ロック機能が解除され、認証画面を表示するステップＳ５０７に移行する。ロック解除が選択されなかった場合（Ｓ５０６−Ｎｏ）は、リモコン制御ボタンが選択されたかを確認するステップＳ５０４に戻る。【００５１】
ステップＳ５０７の認証画面は、例えば図６（ｄ）に示すような、暗証番号の入力画面である。ここで、ユーザーが暗証番号を入力すると、認証を確認するステップＳ５０８に移行する。ステップＳ５０８では、ユーザーが入力した暗証番号と、予め設定していた暗証番号が一致するかを確認する。暗証番号が一致した場合は（認証ＯＫ、Ｓ５０８−Ｙｅｓ）、ホーム画面が表示され（Ｓ５０９）、処理を終了する。暗証番号が一致しなかった場合は（認証ＮＧ、Ｓ５０８−Ｎｏ）、最初の無線ＬＡＮの起動状態を確認するステップＳ５０１に戻る。【００５２】
このように、本実施例に係る携帯端末装置１００によれば、図６（ｂ）のように、ロック解除処理をせずとも、リモコン制御ボタン１６０が表示され電子機器をリモコン操作することが出来るため、セキュリティ性能は確保したままで、リモコンとしての使い勝手がよい携帯端末装置を提供することができる。【００５３】
なお、ロック解除処理前のリモコン制御ボタン１６０の表示例は、図６（ｂ）に限られず種々変更可能であり、必ずしもロック解除ボタンと同時に表示されなくても構わない。また、例えば、ロック解除ボタン１７０と共にリモコン制御ボタン表示の有無を選択可能なボタンが一旦表示され、リモコン制御ボタン１６０を表示する旨のユーザーによる選択があった場合に、リモコン制御ボタン１６０を表示するようにしてもよい。【００５４】
図７は、スリープ解除時の状態とロック画面との対応をまとめた図である。【００５５】
第１のケースは、スリープ解除時において、携帯端末装置１００の無線ＬＡＮ機能がＯＦＦの場合である。この場合は、タッチパネル１１６には通常ロック画面が表示された状態で起動する。これは、ユーザーが意図的に無線ＬＡＮ機能をＯＦＦとしている状態である。電子機器２００を携帯端末装置１００にてリモコン制御する際の、電子機器２００と携帯端末装置１００との通信は無線ＬＡＮにて行うものであるため、無線ＬＡＮ機能をＯＦＦにしているということは、電子機器２００のリモコン制御を行う意思がないことであり、通常ロック画面にて起動しても問題はない。【００５６】
第２のケースは、スリープ解除時において、無線ＬＡＮ機能はＯＮであるが、ＡＰ２０１との通信が行えない場合である。この場合も、タッチパネル１１６には通常ロック画面が表示された状態で起動する。これは、例えばユーザーが携帯端末装置１００を屋外に持ち出して使用した場合などであり、携帯端末装置１００がＡＰ２０１との通信範囲外に存在することを意味する。携帯端末装置１００を操作しているユーザーも同様にＡＰ２０１との通信範囲外にいるため、電子機器２００の近傍にはいないことになる。【００５７】
このような状況で、ユーザーが電子機器２００のリモコン操作を行うことはないため、通常ロック画面で起動しても問題はない。逆にこの状況で、リモコン表示のロック画面にて起動すると、使用できないリモコン画面が表示されるため、使い勝手が悪くなる。【００５８】
第３のケースは、スリープ解除時において、無線ＬＡＮ機能がＯＮであり、ＡＰ２０１との通信も可能な場合である。この場合は、タッチパネル１１６にリモコン表示のロック画面にて起動する。携帯端末装置１００がＡＰ２０１との通信範囲にあるということは、携帯端末装置１００は、ユーザーエリア４００に存在すると考えられるため、携帯端末装置１００を操作しているユーザーは電子機器２００の近傍にいる可能性が高い。【００５９】
この場合、電子機器２００のリモコン操作を行うためにユーザーが携帯端末装置１００のスリープを解除した可能性があるため、リモコン表示のロック画面にて起動させることで、すぐにリモコン操作を行うことができ、使い勝手がよい。また、リモコン操作以外の操作を行いたい場合は、通常ロック画面と同様に、指でロック解除ボタン１７０をタッチし横にスライドさせて、認証を確認する処理を経てロック機能を解除して使用することができる。【００６０】
上記したように、本実施例に係る携帯端末装置１００は、ＡＰ２０１と通信が可能な状態の時にリモコン表示するようにしているため、例えば外出している時などのようにＡＰ２０１から離れている状態でスリープ解除した場合に不要なリモコン表示のロック画面が表示されることはない。【００６１】
上記したように無線ＬＡＮを用いて電子機器２００にリモコン制御信号を送信して制御する場合、携帯端末装置１００はリモコン制御信号を送信する際にＡＰ２０１と通信可能である必要がある。本実施の形態では、ステップＳ５０２において、携帯端末装置１００はＡＰ２０１と通信が可能かを確認し、通信が可能な場合のみリモコン制御信号を送信する（ステップＳ５０５）ようにしている。よって、リモコン制御信号を確実に電子機器２００に送信することができる。【００６２】
また上記したように本実施例に係る携帯端末装置１００においては、第３者がスリープ解除した場合でも、リモコン表示のロック画面を表示されてしまう可能性がある。しかし、リモコン表示のロック画面が表示されるのは、ＡＰ２０１との通信が可能な場合のみであり、また、操作が可能なのはリモコン制御ボタン１６０に制限しているため、セキュリティ上問題となる可能性は極めて低い。
【実施例２】
【００６３】
実施例２における携帯端末装置１００について説明する。【００６４】
携帯端末装置１００の内部構成、外観などは、上記実施例１と同等であるため、説明は省略し、実施例１を適宜準用するものとする。【００６５】
図８は、実施例２における携帯端末装置１００の動作を示すフローチャートである。実施例１の動作と同一のステップについては同一の符号とし、詳細な説明は省略する。【００６６】
図８に示すフローチャートの動作は、上記実施例１と同様に、携帯端末装置１００がスリープ状態において、操作ボタン１１９などを押してスリープを解除したときに開始する。【００６７】
動作を開始すると、スリープ状態になる直前の携帯端末装置１００の状態を確認する（Ｓ８０１）。スリープ状態になる直前にリモコン制御用の画面を表示させていた場合（Ｓ８０１−Ｙｅｓ）は、ＡＰ２０１と通信可能かを確認するステップＳ５０２に移行する。また、スリープ状態になる直前にリモコン制御用の画面を表示させていなかった場合（Ｓ８０１−Ｎｏ）は、通常ロック画面で起動するステップＳ５１０に移行する。ＡＰ２０１と通信可能かを確認するステップＳ５０２、通常ロック画面で起動するステップＳ５１０以降の動作は実施例１と同じであるため、詳細説明は省略する。【００６８】
図９は、スリープ状態になる直前の状態、スリープ解除時のＡＰ２０１との通信状態とロック画面との対応をまとめたものである。【００６９】
第１のケースは、スリープ状態になる直前の状態が、リモコン制御用の画面を表示させていなかった場合である。すなわち、スリープ状態になる直前は、リモコン制御用プログラム以外の操作を行っていた場合である。このときは、タッチパネル１１６には通常ロック画面が表示された状態で起動する。【００７０】
第２のケースは、スリープ状態になる直前の状態が、リモコン制御用の画面を表示させており、ＡＰ２０１との通信が行えない場合である。この場合は、タッチパネル１１６には通常ロック画面が表示された状態で起動する。これは、スリープ状態になる直前にはリモコン制御用画面を表示させて、リモコン制御操作を行っていたが、スリープ状態のときに携帯端末装置１００を外部に持ち出した場合などである。携帯端末装置１００を操作しているユーザーも同様にＡＰ２０１との通信範囲外にいるため、電子機器２００の近傍にはいないことになる。このような状況で、ユーザーが電子機器２００のリモコン操作を行うことはないため、通常ロック画面で起動しても問題はない。逆にこの状況で、リモコン表示のロック画面にて起動すると、使用できないリモコン画面が表示されるため、使い勝手が悪くなる。【００７１】
第３のケースは、スリープ状態になる直前の状態が、リモコン制御用の画面を表示させており、ＡＰ２０１との通信も可能な場合である。この場合は、タッチパネル１１６にリモコン表示のロック画面にて起動する。携帯端末装置１００がＡＰ２０１との通信範囲にあるということは、携帯端末装置１００を操作しているユーザーは電子機器２００の近傍にいることになる。電子機器２００のリモコン操作を行うためにユーザーが携帯端末装置１００のスリープを解除した可能性が大きいため、リモコン表示のロック画面にて起動させることで、すぐにリモコン操作を行うことができ、使い勝手がよい。【００７２】
また、リモコン操作以外の操作を行いたい場合は、通常ロック画面と同様に、指でロック解除ボタン１７０をタッチし横にスライドさせて、認証を確認する処理を経てロック機能を解除して使用することができる。
【実施例３】
【００７３】
実施例３における携帯端末装置１００について説明する。【００７４】
携帯端末装置１００の内部構成、外観などは、上記実施例１、実施例２と同等であるため、説明は省略し、実施例１、２を適宜準用するものとする。【００７５】
図１０は、実施例３における携帯端末装置１００の動作を示すフローチャートである。実施例１の動作と同一のステップについては同一の符号とし、詳細な説明は省略する。【００７６】
図１０に示すフローチャートの動作は、上記実施例１と同様に、携帯端末装置１００がスリープ状態において、操作ボタン１１９などを押してスリープを解除したときに開始する。【００７７】
動作を開始すると、ＧＰＳ受信部１０５により、現在位置情報を取得する（Ｓ１００１）。現在位置が所定位置の近傍の場合（Ｓ１００２−Ｙｅｓ）は、ＡＰ２０１と通信可能かを確認するステップＳ５０２に移行する。現在位置が、所定位置の近傍でない場合（Ｓ１００２−Ｎｏ）は、通常ロック画面で起動するステップＳ５１０に移行する。ＡＰ２０１と通信可能かを確認するステップＳ５０２、通常ロック画面で起動するステップＳ５１０以降の動作は実施例１と同じであるため、詳細説明は省略する。【００７８】
ここで、所定位置とは略電子機器２００の位置とする。電子機器２００の位置情報の取得するためには、あらかじめ、携帯端末装置１００を電子機器２００の近傍に配置し、そこでＧＰＳ受信部１０５により現在位置情報を取得すればよい。取得した位置情報は、ストレージ１０４に記録しておく。すなわち、携帯端末装置１００が、所定位置近傍に存在するということは、携帯端末装置１００がユーザーエリア４００に存在することになる。【００７９】
なお、上記実施例においては、ＡＰ２０１と通信が可能かを判定するステップＳ５０２において、通信ができなかった場合（Ｓ５０２−Ｎｏ）、通常ロック画面（Ｓ５１０）にて起動するようにしているが、基地局５００と無線通信を行い、基地局５００、外部ネットワーク３１０、ルーター３０１、ホームネットワーク３００を介して電子機器２００と通信するモードで、リモコン表示ロック画面にて起動するようにしてもよい。また、Bluetooth（登録商標）や赤外線により、電子機器２００と直接通信を行い、リモコン表示ロック画面にて起動するようにしてもよい。【００８０】
また、実施例２に示したように、スリープ前の状態に応じて、起動モードを切り替えるようにしてもよい。【００８１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、実施例の構成の一部について、他の構成の追加・削除・置換をすることが可能である。また、同趣旨の範囲内で、各実施例を適宜組合せることも可能である。【００８２】
各実施例の組合せとして、例えば、電子機器をリモコン制御可能か否か判定する際に、実施例１で示した無線ＬＡＮ機能のＯＮ／ＯＦＦを確認した後、実施例２で示したスリープ状態になる直前の携帯端末装置１００の状態を確認する、といった手順を行っても構わない。【００８３】
また、変形例としては、例えば、リモコン表示のＯＮ／ＯＦＦを予めユーザーにより設定可能にしておき、ＯＮ設定にしている場合のみ、上記した各実施例に記載した制御を行うようにしてもよい。【００８４】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、フラッシュメモリなどのメモリ、または、メモリーカードなどのストレージに置くことができる。【００８５】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００８６】
１００…携帯端末装置、１１５…表示部、１１６…タッチパネル、１１９…操作ボタン、２００…電子機器、２０１…アクセスポイント。
【図１】
2016009499.tif 000003
【図２】
2016009499.tif 000004
【図３】
2016009499.tif 000005
【図４】
2016009499.tif 000006
【図５】
2016009499.tif 000007
【図６】
2016009499.tif 000008
【図７】
2016009499.tif 000009
【図８】
2016009499.tif 000010
【図９】
2016009499.tif 000011
【図１０】
2016009499.tif 000012
【国際調査報告】
2016009499.tif 000013
2016009499.tif 000014
2016009499.tif 000015
2016009499.tif 000016